(57)【要約】【課題】既知のスキームを超えた優秀な性能と非常に低い計算の複雑さとを組み合わせる、高速移動局のためのチャネル推定スキームを実現する。【解決手段】ＣＤＭＡ通信システムでの使用に適したチャネル推定方法は、１スロット当たり４つの補間点を用いた高次補間を採用する。４つのＦＩＲ補間フィルタ（１８−２１）が、４つのスロットの加算されたパイロットを、事前計算された多項式係数と関連付けられた量により重み付けすることにより１スロットの各クォータ（４分の１）部に対してチャネル推定を生成する。本発明が示され、それは、高速モバイルに対して良好な性能を与え、計算の複雑さの程度が低い利点を有する。【選択図】図２
2009081895.tif 000002
【特許請求の範囲】
【請求項１】
スロット化された構造を有する受信信号からチャネル推定を計算する受信装置であって、各スロットがデータ・シンボルのシーケンス及びパイロット・シンボルのシーケンスを有する、受信装置において、
Ｍ個のスロットのうちの各スロットのパイロット・シンボルを加算するＭ個の加算器であって、各加算器が出力ｘ（ｉ）を生成する、Ｍ個の加算器と、
入力ｘ（ｉ）を有するＪ個の補間フィルタであって、ＪはＭ個のスロットのうちの１つのスロットの時間インスタンスの選定された数を指定する、Ｊ個の補間フィルタと、
前記Ｊ個の補間フィルタのそれぞれに接続され、Ｍ個のスロットのうちの前記１つのスロットの選定された時間インスタンスＴj、パイロット・シンボルの時間インスタンス、及び、２より大きい選定された多項式補間次数Ｎに応じてフィルタ係数Ｆｊ，ｉを計算する計算モジュールと、を備え、それにより、
各補間フィルタは、前記時間インスタンスＴj（ここで、ｊは０，…，Ｊ−１の値を取る。）のうちの１つの時間インスタンスに関して、チャネル推定
【数１】
2009081895.tif 000009
を計算するよう構成され、
各チャンネル推定を用いて、Ｍスロットのうちの前記１つの、選定された数の時間インスタンスの、それぞれの時間インスタンスのデータ・シンボルを復号する手段を更に備える、受信装置。
【請求項２】
フィルタ係数Ｆj,iが、関係式
【数２】
2009081895.tif 000010
に従って計算され、
ここで、ｂk,iは、パイロット・シンボルの時間インスタンスに関連するマトリックスＢの（ｋ，ｉ）番目の元であり、
Ｐ＝ＢＸであり、
ここで、Ｐは次数Ｎの補間多項式であり、Ｘは出力ｘ（ｉ）を表すベクトルである
請求項１記載の受信装置。
【請求項３】
Ｍ＝４、及びＪ＝４である請求項１又は２記載の受信装置。
【請求項４】
スロット化された構造を有する受信信号からチャネル推定を計算する方法であって、各スロットがデータ・シンボルのシーケンス及びパイロット・シンボルのシーケンスを有する、方法において、
Ｍ個のスロットのうちの各スロットのパイロット・シンボルを加算して、出力ｘ（ｉ）を生成するステップと、
Ｍ個のスロットのうちの選定された１つのスロットに関連する選定された時間インスタンスＴj、パイロット・シンボルの時間インスタンス、及び、２より大きい選定された多項式補間次数Ｎに応じてフィルタ係数Ｆj,iを計算するステップと、
Ｊ個の補間フィルタ内で、時間インスタンスＴjに関して、チャネル推定
【数３】
2009081895.tif 000011
を計算するステップと
各チャンネル推定を用いて、Ｍスロットのうちの前記１つの、選定された数の時間インスタンスの、それぞれの時間インスタンスのデータ・シンボルを復号するステップ、
を備える方法。
【請求項５】
前記の計算されたチャネル推定をＣＰＩＣＨと組み合わせて、より精緻にされたチャネル推定を生成する更なるステップを含む請求項４記載の方法。
【請求項６】
前記の計算されたチャネル推定を用いて、第２の反復に対して準パイロットを与えて、より精緻にされたチャネル推定を生成する更なるステップを含む請求項４記載の方法。
【請求項７】
前記の計算されたチャネル推定を経路間キャンセル・スキームと組み合わせる更なるステップを含む請求項４記載の方法。
【発明の詳細な説明】
【技術分野】
【０００１】
本発明は、無線受信機に関し、より詳細には、符号分割多重アクセス（ＣＤＭＡ）セル
ラ通信システムのための無線受信機に関するが、これに限定されるものではない。
【背景技術】
【０００２】
セルラ通信システムにおいては、複数の基地局は、無線通信サービスを複数の遠隔加入
者装置に提供する。なお、遠隔加入者装置はしばしば移動局と呼ばれる。各基地局は、カ
バレージ・エリアを生成するため基地局に隣接した特定の地理的範囲又はセルを定義する
。
【０００３】
多重アクセス技術は、幾つかの移動局から単一の基地局へ且つ単一の基地局から幾つか
の移動局への同時伝送を可能にする。１つのタイプの多重アクセス技術は、符号分割多重
アクセス（ＣＤＭＡ）として知られており、それは、スペクトル拡散信号送出を採用する
。ＣＤＭＡ通信システムにおける個々のユーザは、同じ搬送波周波数を用いるが、しかし
個別の拡散符号の使用により分離される。従って、複数の通信チャネルは、各拡散符号が
移動局に一意に割り当てられる、無線スペクトルの一部分内の複数の拡散符号を用いて割
り与えられる。直接シーケンスＣＤＭＡ通信システムにおいては、信号は、送信される前
に、高速符号（ｈｉｇｈ  ｒａｔｅ  ｃｏｄｅ）を乗算され、それにより、信号は、より
大きな周波数スペクトルにわたり拡散される。こうして、狭帯域信号は、拡散され、そし
て広帯域信号として送信される。受信機で、元の狭帯域信号が、受信信号に同じ符号を乗
算することにより再生される。異なる符号の使用により拡散された信号は、受信機で、逆
拡散されず、広帯域信号のままである。
【０００４】
第３世代セルラ通信システムで用いられる広帯域ＣＤＭＡ（Ｗ−ＣＤＭＡ）においては
、シンボルは、４相位相変調及び直接シーケンスＣＤＭＡを用いて送信される。複数の物
理的チャネルのそれぞれは、各フレームに固定数のスロットを有するフレーム構造に編成
される。各スロットは、一連のデータ・シンボル及び一連のパイロット・シンボルを有す
る。パイロット・シンボルを用いて、伝搬チャネルの特性を推定し、そして同期化を実行
し得る。
【０００５】
ＣＤＭＡシステムにおいては、ＲＡＫＥ受信機は、一般に、ＣＤＭＡ受信機のための複
雑さの低い解法として用いられる。ＲＡＫＥ受信機の設計の一例は、米国特許ＵＳ−Ｂ−
６２１５８４１４に開示されている。
【０００６】
ＲＡＫＥ受信機の機能の１つは、マルチパス（多重通路）伝搬された信号成分の分離で
ある。
【０００７】
マルチパス伝搬は、送信された信号が受信機に複数のパス（経路）を介して到達するこ
とに起因して生じる。例えば、１つの受信信号は、基地局から移動局へ直接進む場合があ
り、そして別の受信信号は、移動局の背後の建物に反射され、次いで戻るように移動局に
到達する場合がある。これらの２つの信号の受信間に時間遅延があるであろう。マルチパ
ス効果は、所望の信号の劣化（又はフェーディング）をもたらす。
【０００８】
ＲＡＫＥ受信機（それは一般的に複数のＲＡＫＥフィンガ（ｆｉｎｇｅｒｓ）を備える
。）の別の機能は、マルチパス通信チャネルの特性の推定である。
【０００９】
チャネル推定の特定の方法、即ち、重み付けされたマルチスロット平均化（ｗｅｉｇｈ
ｔｅｄ  ｍｕｌｔｉ−ｓｌｏｔ  ａｖｅｒａｇｉｎｇ）（ＷＳＭＡ）を用いたＲＡＫＥ受
信機の別の例は、パーソナル、屋内及び移動無線通信についての第８回ＩＥＥＥ国際シン
ポジウムの技術プログラム議事録、２０００年＋ＲＩＭＲＣ’９７のウェーブス（Ｗａｖ
ｅｓ  ｏｆ  ｔｈｅ  Ｙｅａｒ２０００＋ＰＩＭＲＣ’９７）「ＤＳ−ＣＤＭＡ移動無線
のためのコヒーレントＲＡＫＥコンバイニング用時間多重化パイロット・シンボルを用い
たチャネル推定（Ｃｈａｎｎｅｌ  Ｅｓｔｉｍａｔｉｏｎ  Ｕｓｉｎｇ  Ｔｉｍｅ  Ｍｕ
ｌｔｉｐｌｅｘｅｄ  Ｐｉｌｏｔ  Ｓｙｍｂｏｌｓ  Ｆｏｒ  Ｃｏｈｅｒｅｎｔ  ＲＡＫ
Ｅ  Ｃｏｍｂｉｎｉｎｇ  Ｆｏｒ  ＤＳ−ＣＤＭＡ  Ｍｏｂｉｌｅ  Ｒａｄｉｏ）」（Ｈ
．Ａｎｄｏｃｈ他による）に開示されている。それでは、受信されたマルチパス信号は、
整合フィルタにより逆拡散され、それにより、異なる時間遅延を有する異なるパスに沿っ
て伝搬した幾つかのフェーディングされた狭帯域変調された信号に分解される。これらの
分解された信号のそれぞれは、ＲＡＫＥ受信機の各フィンガに印加される。各フィンガに
おいて、チャネル推定が、時間多重化されたパイロット・シンボルを用いることによりそ
れぞれの分解された狭帯域信号について実行される。分解された複素表現の狭帯域変調さ
れた信号のそれぞれは、チャネル推定の複素共役で重み付けされて、ＲＡＫＥコンバイナ
において、他のフィンガから出力された信号とコヒーレントに組み合わされる。
【００１０】
一般的に、ＲＡＫＥ出力を生成するため上記の複数のパスを組み合わせる前に、チャネ
ル推定出力を用いて各パスの減衰及び位相を補償する。従って、不正確なチャネル推定は
、複数のパスの非コヒーレントの組み合わせをもたらし、従って、著しい性能劣化をもた
らす。
【００１１】
高品質のチャネル推定を容易にするため、Ｗ−ＣＤＭＡ標準に２種類のパイロットがあ
る。ユーザ専用のパイロットは、専用データ・チャネル（ＤＰＤＣＨ）と時間多重化され
る専用制御チャネル（ＤＰＣＣＨ）の一部として送信される。共通パイロット・チャネル
（ＣＰＩＣＨ）は連続のパイロットを送信し、その連続のパイロットはセルの中の全ての
移動局により受信されることができ、そして上記の専用チャネルより５〜７ｄＢ程強い。
【００１２】
ビーム形成は、３ＧＰＰ（第３世代パートナーシップ・プロジェクト）標準のリリース
４における移動局に関する必須の機能である。この機能を用いて、専用データ・チャネル
の専用パイロットのみが、チャネル推定の目的のため用いられることができる。それは、
共通パイロット・チャネルは、異なるアンテナ重みを伴って送信され、従って、異なるマ
ルチパス・プロフィールにより影響を及ぼされるからである。そこで、ＤＰＣＣＨ及びＣ
ＰＩＣＨの両方と、並びにＤＰＣＣＨのみと働く能力を有したチャネル推定技術を開発す
ることは有効であろう。
【００１３】
Ｗ−ＣＤＭＡシステムは、最大５００ｋｐｈの移動局速度をサポートすることが好まし
い。最も知られているチャネル推定スキームは、低速の移動局に対して十分に動作するが
、しかし高速度での性能は貧弱である。
【００１４】
高速の移動局のための信頼性の良いチャネル推定を生成する能力が無いことが、ＷＭＳ
Ａ方法（それは通常ＤＰＣＣＨパイロットに基づいている。）の主要欠点である。この問
題は、チャネルのフェーディング速度が移動局の速度に比例するため、生じる。
【００１５】
他の代替解法が提案されてきた。ＩＥＥＥ、第５３回車両技術会議（ギリシャ、Ｒｈｏ
ｄｅｓにおいて）のＶＴＣ、２００１−２００１年春の「第３世代Ｗ−ＣＤＭＡ通信シス
テム用チャネル推定アルゴリズム（Ｃｈａｎｎｅｌ  Ｅｓｔｉｍａｔｉｏｎ  Ａｌｇｏｒ
ｉｔｈｍｓ  Ｆｏｒ  Ｔｈｉｒｄ  Ｇｅｎｅｒａｔｉｏｎ  Ｗ−ＣＤＭＡ  Ｃｏｍｍｕｎ
ｉｃａｔｉｏｎ  Ｓｙｓｔｅｍｓ）」（Ｋ．Ａ．Ｑａｒａｑｅ他による）には、線形補間
と組み合わされたマルチスロット平均化が記載されている。このスキームはＷＭＳＡと比
較して性能を著しく改善するにも拘わらず、線形補間は、いくらか高い速度に対して適切
な性能を与えない。
【００１６】
２次補間が、通信についての第５回アジア太平洋会議、及び第４回光−エレクトロニク
ス及び通信会議、ＡＰＣＣ／ＯＥＣＣ’９９の新世紀への活力会議議事録、５８２−５頁
、第１巻、１９９９年の「Ｗ−ＣＤＭＡのためのチャネル推定の新奇な方法（Ａ  Ｎｏｖ
ｅｌ  Ｍｅｔｈｏｄ  ｏｆ  Ｃｈａｎｎｅｌ  Ｅｓｔｉｍａｔｉｏｎ  ｆｏｒ  Ｗ−ＣＤ
ＭＡ）」（Ｄ．Ｘｉａｏｊｉａｎ他による）において提案されている。フレームからのパ
イロットに基づく一層高次の補間は、ＩＥＥＥ第５１回車両技術会議議事録ＶＴＣ、２０
００、春、２０００、２１２８−３２頁、第３巻（２０００年）の「ＬＳＥ、多項式適合
を用いた、ＵＴＲＡ／ＦＤＤのためのフレーム指向型のチャネル推定（Ｆｒａｍｅ−Ｏｒ
ｉｅｎｔｅｄ  Ｃｈａｎｎｅｌ  Ｅｓｔｉｍａｔｉｏｎ  ｆｏｒ  ＵＴＲＡ／ＦＤＤ  ｗ
ｉｔｈ  ＬＳＥ，Ｐｏｌｙｎｏｍｉａｌ  Ｆｉｔｔｉｎｇ）」（Ａ．Ｐｏｐｐｅｒ他によ
る）に提案されている。
【００１７】
しかしながら、全ての既知の高次の補間方法は、計算の複雑さが高く、また多くの場合
大きな遅延を有する。また、非常に高速の移動局にとっては、２次補間ですら十分でない
。
【発明の開示】
【発明が解決しようとする課題】
【００１８】
従って、一方における既知のスキームを超えた優秀な性能と他方における非常に低い計
算の複雑さとを組み合わせる、高速移動局のためのチャネル推定スキームに対する必要性
が存在する。
【課題を解決するための手段】
【００１９】
本発明に従って、スロット化された構造を有する受信信号からチャネル推定を計算する
受信装置であって、各スロットがデータ・シンボルのシーケンス及びパイロット・シンボ
ルのシーケンスを有する、受信装置において、
Ｍ個のスロットのうちの各スロットのパイロット・シンボルを加算するＭ個の加算器で
あって、各加算器が出力ｘ（ｉ）を生成する、Ｍ個の加算器と、
入力ｘ（ｉ）を有するＪ個の補間フィルタであって、ＪはＭ個のスロットのうちの１つ
のスロットの時間インスタンスの選定された数を指定する、Ｊ個の補間フィルタと、
前記Ｊ個の補間フィルタのそれぞれに接続され、Ｍ個のスロットのうちの前記１つのス
ロットの選定された時間インスタンスＴj、パイロット・シンボルの時間インスタンス、
及び選定された多項式補間次数Ｎに応じてフィルタ係数を計算する計算モジュールと、を
備え、それにより、
各補間フィルタは、前記時間インスタンスＴj（ここで、ｊは０，…，Ｊ−１の値を取
る。）のうちの１つの時間インスタンスに関して、チャネル推定
【００２０】
【数１】
2009081895.tif 000003
【００２１】
を計算するよう構成される、受信装置が提供される。
【００２２】
本発明は、ＣＰＩＣＨからのパイロット・シンボルとＤＰＣＣＨからのパイロット・シ
ンボルとの組み合わせ、又はＤＰＣＣＨのパイロット・シンボルのみと共に動作すること
ができ、そして、更に性能を改善するため第２回の反復のための良好な基礎として用いる
ことができる。
【００２３】
本発明の受信装置は、基地局又は移動局に配置し得る。
【００２４】
本発明の一実施形態が、ここで、一例として図面を参照して説明されるであろう。
【発明を実施するための最良の形態】
【００２５】
広帯域ＣＤＭＡ信号は、例えば基地局に配置された遠隔送信機から送信され、そして複
数の伝搬チャネルを介して、例えば移動局に配置された受信機へ伝わる。従来のように、
受信された信号は、整合フィルタにより逆拡散され、そこで、受信信号は、各チャネルが
異なる伝搬特性を有する複数の異なるチャネルを伝搬した複数の狭帯域変調された信号に
分解される。狭帯域変調された信号のそれぞれは、ＲＡＫＥコンバイナ（ｃｏｍｂｉｎｅ
ｒ）に供給されそこで更に処理される前にＲＡＫＥ受信機の複数のフィンガのうちの１つ
のフィンガにより処理される。
【００２６】
ＲＡＫＥ受信機の各フィンガは、チャネル推定を与えるよう本発明に従って変更されて
いる。
【００２７】
ＲＡＫＥ受信機のフィンガに印加される狭帯域変調された信号のうちの１つの信号の４
つのスロット１，２，３，４が図１に示されている。時間は、左から右に増大し、そして
スロット３は、チャネル推定が実行されることになる「現在スロット」として示されてい
る。各スロットは、２つの部分、即ち、データ・シンボルを有する１つの部分５と、パイ
ロット・シンボルを有する別の部分６（ハッチングで示す）とを備える。現在スロット３
のデータ部分５は、概念的に４つのクォータ部（４分の１部）７，８，９，１０に分割さ
れ、そしてこれらのクォータ部のそれぞれに対するチャネル推定が、本発明により決定さ
れる。
【００２８】
この例においては、４つのスロットがチャネル推定処理のため選定されているが、４よ
り多い又は４より少ないスロットを用いてもよい。
【００２９】
同様に、現在スロットがこの例では概念的に４つの部分に分割されているが、４つより
多くの又は４つより少ない部分を選定し得る。
【００３０】
図２において、ＲＡＫＥフィンガは、次のチャネル推定モジュールを含むよう変更され
ている。４つの加算モジュール１３，１４，１５，１６はそれぞれ、４つの補間フィルタ
１８，１９，２０，２１に接続されている出力を有する。第１の補間フィルタ１８は、出
力ＣｈａｎＥｓｔ0を有し、その出力ＣｈａｎＥｓｔ0は、現在スロット３の第１のクォー
タ部７に対するチャネルの推定である。
【００３１】
第２の補間フィルタ１９は、出力ＣｈａｎＥｓｔ1を有し、その出力ＣｈａｎＥｓｔ1は
、現在スロット３の第２のクォータ部８に対するチャネルの推定である。第３の補間フィ
ルタ２０は、出力ＣｈａｎＥｓｔ2を有し、その出力ＣｈａｎＥｓｔ2は、現在スロット３
の第３のクォータ部９に対するチャネルの推定である。第４の補間フィルタ２１は、出力
ＣｈａｎＥｓｔ3を有し、その出力ＣｈａｎＥｓｔ3は、現在スロット３の第４のクォータ
部１０に対するチャネルの推定である。
【００３２】
係数計算・記憶モジュール２２は、事前プログラムされ、そして補間フィルタ１８−２
１のそれぞれに接続された出力を有する。
【００３３】
補間フィルタの出力ＣｈａｎＥｓｔ0，ＣｈａｎＥｓｔ1，ＣｈａｎＥｓｔ2，Ｃｈａｎ
Ｅｓｔ3を従来の要領で用いて、現在スロット３のデータ・シンボル部分５の第１、第２
、第３及び第４のクォータ部のそれぞれを備えるデータ・シンボルを復号する。
【００３４】
動作において、加算器１３は、複数のパイロット・シンボル６をスロット１から受け取
ってそれらを加算し、そしてその結果ｘ（０）を補間フィルタ１８−２１のそれぞれの入
力へ出力する。同様に、加算器１４、１５及び１６は、複数のパイロット・シンボルをス
ロット２、３及び４のそれぞれから受け取って加算し、そしてそれらの結果ｘ（１）、ｘ
（２）、ｘ（３）のそれぞれを各補間フィルタ１８−２１の別の入力へ出力する。
【００３５】
こうして、各補間フィルタ１８−２１は、ｘ（０）、ｘ（１）、ｘ（２）及びｘ（３）
の４つの入力を有する。これらの入力は、補間フィルタにおいて、それらのフィルタ係数
により規定（ｄｉｃｔａｔｅ）される量によりそれぞれ異なった重み付けをされる。なお
、それらのフィルタ係数は、係数計算・記憶モジュール２２において（以下で説明され且
つ各補間フィルタ１８−２１に印加される要領で）計算される。
【００３６】
本発明者は、この分野の他の研究者により提案されたような線形及び２次の補間が非常
に高い移動局速度に対して適切に実行しないことを観察した。本発明者は、高速度に対し
て、性能改善が、スロットを４つのクォータ部に分割し且つ各クォータ部に対して別々に
補間することにより得られることができることを発見した。これは、各シンボルに対して
別々に補間し且つ不必要な複雑さの増大をもたらす或る一定の既知の方法とは対照的であ
る。
【００３７】
本発明は、高次補間に基づくがしかしスロットの中に４つの補間点のみを有するアプロ
ーチを提案する。低い複雑さの実現に対して、４つの補間点は、補間フィルタとして構成
された４つの単純なＦＩＲ（有限時間インパルス応答）フィルタを用いて実施される。
【００３８】
平均平方推定の意味でのＮ次の補間多項式は、次のとおりである。
【００３９】
【数２】
2009081895.tif 000004
【００４０】
そして、一般の補間多項式係数は、次式により決定される。
【００４１】
【数３】
2009081895.tif 000005
【００４２】
ここで、
【００４３】
【数４】
2009081895.tif 000006
【００４４】
ここで、Ｎは多項式の次数であり、Ｍはサンプル（スロット）の数であり、ｔ0〜ｔM-1
はパイロットの時間インスタンス（ｔｉｍｅ  ｉｎｓｔａｎｃｅｓ）であり、Ｘは各スロ
ットのパイロット合計である。
【００４５】
好適な実施形態においては、４つの固定の時間インスタンスＴ0〜Ｔ3は、現在スロット
３の４つのクォータ部７〜１０に対応するよう選定される。マトリックス（行列）Ｂはま
た、その計算がパイロットの既知の時間インスタンスのみを含むので既知である。
【００４６】
唯変化する部分は、補間に関係するＭ個のスロットのうちの各スロットのコヒーレント
なパイロットの和を表すベクトルＸである。
【００４７】
従って、補間フィルタ係数は、次のように計算されることができる。
【００４８】
【数５】
2009081895.tif 000007
【００４９】
ここで、
Ｆj,iは補間フィルタｊのｉ番目の係数であり、ｂk,iはマトリックスＢのｋ，ｉの元で
あり、Ｔjは補間フィルタｊに関する補間時間インスタンスである。
【００５０】
これらの係数は、係数計算・記憶モジュール２２において事前に計算され、そして補間
フィルタ１８−２１のそれぞれによる使用のためその係数計算・記憶モジュール２２に記
憶される。係数計算・記憶モジュール２２は、この計算のため必要とされるパラメータ、
即ち、現在スロットの選定された時間インスタンスＴ0〜Ｔ3（この例では４つのクォータ
部に対応する）、パイロット・シンボルの時間インスタンス、及びＮに対する選定された
値を用いて事前にプログラムされる。
【００５１】
従って、時間インスタンスＴjにおけるチャネル推定は、次式のとおりである。
【００５２】
【数６】
2009081895.tif 000008
【００５３】
ここで、ｊ＝０〜３であり、そしてＣｈａｎＥｓｔ0は、現在スロットの第１のクォー
タ部のデータ・シンボルを復号するため用いられ、ＣｈａｎＥｓｔ1は、現在スロットの
第２のクォータ部のデータ・シンボルを復号するため用いられ、ＣｈａｎＥｓｔ2は、現
在スロットの第３のクォータ部のデータ・シンボルを復号するため用いられ、ＣｈａｎＥ
ｓｔ3は、現在スロットの第４のクォータ部のデータ・シンボルを復号するため用いられ
る。
【００５４】
こうして、Ｎ次補間は、単純なＦＩＲフィルタを用いて実行されることができる。
【００５５】
本発明は、ＷＭＳＡスキームを超えた著しい性能改善を提供する一方、計算の複雑さを
著しく増さないことが判明した。それはまた、高速度条件下での性能及び計算の複雑さの
両方の点で線形補間方法及び２次補間方法より優れている。実際に、本発明は、既知の高
次補間方法より計算の複雑さは非常に低く且つその方法と匹敵する性能を有する。
【００５６】
本発明は、ＤＰＣＣＨベースのチャネル推定を生成するため有効に用いることができる
。それは更に、ＣＰＩＣＨ推定と組み合わせて用いることができる。例えば、性能を増強
するため、その出力は、最大比組み合わせ又は固定重みの組み合わせにおいて、ＣＰＩＣ
Ｈベースのチャネル推定と組み合わされることができる。
【００５７】
更に、チャネル推定の１次補間を用いて、データ・シンボルについての一時的決定をな
し得て、それにより第２反復のための連続的準パイロット（ｃｏｎｔｉｎｕｏｕｓ  ｑｕ
ａｓｉ−ｐｉｌｏｔ）を提供する。準パイロットを第２反復で用いて、単純な移動平均窓
を用いて且ついずれの補間も必要としないでチャネル推定を生成することができる。
【００５８】
或る一定の環境においては、受信信号の著しい劣化が経路間干渉（ｉｎｔｅｒ−ｐａｔ
ｈ  ｉｎｔｅｒｆｅｒｅｎｃｅ）のため生じる場合がある。本発明は、経路間キャンセラ
ー（ｉｎｔｅｒ−ｐａｔｈ  ｃａｎｃｅｌｌｅｒ）と組み合わされて、この効果を、ドキ
ュメント：ＩＥＥＥ第５３回車両技術会議（ギリシャ、Ｒｈｏｄｅｓ）のＶＴＣ  ２００
１−２００１年春の「ＲＡＫＥチャネル推定のための新奇なマルチパス干渉キャンセル・
スキーム（Ａ  Ｎｏｖｅｌ  Ｍｕｌｔｉｐａｔｈ  Ｉｎｔｅｒｆｅｒｅｎｃｅ  Ｃａｎｃ
ｅｌｌａｔｉｏｎ  Ｓｃｈｅｍｅ  Ｆｏｒ  ＲＡＫＥ  Ｃｈａｎｎｅｌ  Ｅｓｔｉｍａｔ
ｉｏｎ）」（Ｊ．Ｂａｌｔｅｒｓｅｅ他による）で提案されたのと同じ要領で低減するこ
とができる。
【図面の簡単な説明】
【００５９】
【図１】図１は、Ｗ−ＣＤＭＡ信号のスロット化された構造を示す概略図である。
【図２】図２は、本発明に従ったチャネル推定装置のブロック図である。
【図１】
2009081895.tif 000012
【図２】
2009081895.tif 000013